(57)【要約】【課題】  画像記録装置及び画像表示方法において、ユーザのＰＣ上での画像閲覧頻度が高いため、ユーザが撮影画像の大きさがどの程度の大きさであるのか直感的に把握できる装置及び表示方法を提供する。【解決手段】  画像記録装置の表示手段上に、ＰＣのデスクトップ画面サイズ４０２と撮影画像サイズを、ＯＳＤ（On  Screen  Device）で表示して、ＰＣ上で撮影画像を再生した場合にどの程度の大きさで表示できるのかユーザに通知ことにより、ＰＣのデスクトップ画面サイズに対して、撮影画像の大きさがどの程度の大きさであるのかを直感的に把握することが可能となる。【選択図】  図４
2006254127.tif 000002
【特許請求の範囲】
【請求項１】
被写体からの光を取り込む撮像手段と、
前記取り込んだ光を電気信号に変換する光電変換手段と、
前記電気信号に変換された画像情報を圧縮する画像圧縮手段と、
前記圧縮された画像情報を展開し、表示する表示手段と、を有し、
前記表示手段は、ＰＣ（Personal Computer）に撮影画像を表示した時のＰＣのデスクトップのサイズを示すＯＳＤ（On Screen Display）を表示することを特徴とする画像記録装置。
【請求項２】
前記表示手段は、前記撮影画像がＰＣのデスクトップのサイズよりも大きい場合には、ＰＣのデスクトップサイズを前記撮影画像の上からＯＳＤ（デスクトップＯＳＤ）を表示することで、撮影者が前記撮影画像のサイズを認識することを特徴とする請求項１に記載の画像記録装置。
【請求項３】
前記表示手段は、撮影者が使用するＰＣモニターの解像度を選択すると、それに対応して前記デスクトップＯＳＤの大きさも変化することを特徴とする請求項２に記載の画像記録装置。
【請求項４】
前記表示手段は、前記画像記録装置の撮影解像度を変更すると、それに対応して前記デスクトップＯＳＤの大きさも変化することを特徴とする請求項２又は３のいずれか１項に記載の画像記録装置。
【請求項５】
前記表示手段は、前記撮影画像がＰＣのデスクトップのサイズよりも小さい場合には、ＰＣのデスクトップサイズと撮影画像サイズの比を示すＯＳＤを表示することを特徴とする請求項１に記載の画像記録装置。
【請求項６】
前記表示手段は、撮影者が使用するＰＣモニターの解像度を選択すると、それに対応して前記比を示すＯＳＤの大きさも変化することを特徴とする請求項５に記載の画像記録装置。
【請求項７】
前記表示手段は、画像記録装置の撮影解像度を変更すると、それに対応して前記比を示すＯＳＤの大きさも変化することを特徴とする請求項５に記載の画像記録装置。
【請求項８】
被写体からの光を取り込む撮像工程と、
前記取り込んだ光を電気信号に変換する光電変換工程と、
前記電気信号に変換された画像情報を圧縮する画像圧縮工程と、
前記圧縮された画像情報を展開し、表示する表示工程と、を有し、
前記表示工程は、ＰＣ（Personal Computer）に撮影画像を表示した時のＰＣのデスクトップのサイズを示すＯＳＤ（On Screen Display）を表示することを特徴とする画像表示方法。
【請求項９】
前記表示工程は、前記撮影画像がＰＣのデスクトップのサイズよりも大きい場合には、ＰＣのデスクトップサイズを前記撮影画像の上からＯＳＤ（デスクトップＯＳＤ）を表示することで、撮影者が前記撮影画像のサイズを認識することを特徴とする請求項８に記載の画像表示方法。
【請求項１０】
前記表示工程は、撮影者が使用するＰＣモニターの解像度を選択すると、それに対応して前記デスクトップＯＳＤの大きさも変化することを特徴とする請求項９に記載の画像表示方法。
【請求項１１】
前記表示工程は、前記画像記録工程の撮影解像度を変更すると、それに対応して前記デスクトップＯＳＤの大きさも変化することを特徴とする請求項９に記載の画像表示方法。
【請求項１２】
前記表示工程は、前記撮影画像がＰＣのデスクトップのサイズよりも小さい場合には、ＰＣのデスクトップサイズと撮影画像サイズの比を示すＯＳＤを表示することを特徴とする請求項８に記載の画像表示方法。
【請求項１３】
前記表示工程は、撮影者が使用するＰＣモニターの解像度を選択すると、それに対応して前記比を示すＯＳＤの大きさも変化することを特徴とする請求項１２に記載の画像表示方法。
【請求項１４】
前記表示工程は、画像記録装置の撮影解像度を変更すると、それに対応して前記比を示すＯＳＤの大きさも変化することを特徴とする請求項１２に記載の画像表示方法。
【発明の詳細な説明】
【技術分野】
【０００１】
本発明は、画像記録装置および画像表示方法に関し、特に撮影される画像の大きさを表示する画像サイズ表示手段を有する電子カメラなどの画像記録装置および画像表示方法に関する。
【背景技術】
【０００２】
近年、電子カメラの普及状況が著しい。電子カメラがここまで普及することとなった理由としては、出荷台数の増加による大幅な価格低下も大きく寄与していると思われるが、フィルムカメラとの最も大きな違いとして、フィルムが不要であることが挙げられる。一旦ある程度の容量をもったメモリーカードを購入すれば、ＰＣ（Personal  Computer）に画像をコピーし、カードをフォーマットすることで何度もメモリーカードを使用でき、ランニングコストを気にせずに気に入った被写体を次々と撮影することが可能になり、フィルムカメラと比較して、１回使用あたりの撮影枚数も増加していると考えられる。こういった背景から、電子カメラでは多くの画像が撮影されるが、コストもかかることから、撮影画像を現像に出したりプリントアウトしたりするのは特に気に入った画像などに限られ、大部分の画像はＰＣのハードディスクに保存され、ＰＣのアプリケーションソフト上で閲覧されることが多い。
【０００３】
電子カメラでは撮影する画像の大きさを何段階かに調整出来るものがほとんどである。例えばＣＣＤ（Charge  Coupled  Device）の画素数が３００万画素の場合、２０４８×１５３６（３１４万画素）、１２８０×９６０（１２２万画素）、６４０×４８０（３０万画素）などの撮影画像サイズが用意されている。これは画像記録装置に使用するメモリーカードの容量が限られており、画像サイズを最大にして撮影すると画像のデータ量が多くなり、数枚しか撮影できないことがあるため、画像サイズを縮小して撮影枚数を増加させることができるようになっている。
【０００４】
このように、電子カメラで撮影画像の画素数を変えることが出来るが、ＬＣＤ（Liquid  Crystal  Display）などの画像記録装置の表示手段に表示されるのは、”２０４８×１５３６”などの画素数表示だけであり、直感的に画像の大きさを把握しづらい。
【０００５】
このようなことから、画像記録装置の表示手段上に、画像を印刷した場合の印刷範囲を表示する方法が提案されている（特許文献１）。撮影画像の画素数表示だけでなく、プリントアウトしたときにどの程度の大きさでプリントアウトされるのかを確認できることで、印刷ミスや、撮影のやり直しといった労力を省くことができる。
【特許文献１】特開２００２−９４９０１号公報
【発明の開示】
【発明が解決しようとする課題】
【０００６】
しかしながら、ユーザは印刷よりもＰＣ上での    画像閲覧の頻度が高いと考えられ、この場合の有効的なユーザへの通知方法が求められている。
【０００７】
本発明はこのような状況に鑑みてなされたものであり、ＰＣのデスクトップ画面サイズに対して、撮影画像の大きさがどの程度の大きさであるのかを直感的に把握できるように、ＰＣのデスクトップ画面サイズと撮影画像サイズをＯＳＤ（On  Screen  Device）で表示して、ＰＣ上で撮影画像を再生した場合にどの程度の大きさで表示できるのかユーザに通知することを目的とする。
【課題を解決するための手段】
【０００８】
かかる目的を達成するために、本発明は以下の特徴を有する。
【０００９】
請求項１記載の発明は、被写体からの光を取り込む撮像手段と、前記取り込んだ光を電気信号に変換する光電変換手段と、前記電気信号に変換された画像情報を圧縮する画像圧縮手段と、前記圧縮された画像情報を展開し、表示する表示手段と、を有し、前記表示手段は、ＰＣ（Personal Computer）に撮影画像を表示した時のＰＣのデスクトップのサイズを示すＯＳＤ（On Screen Display）を表示することを特徴とする画像記録装置である。
【００１０】
請求項２記載の発明は、請求項１記載の装置において、前記表示手段は、前記撮影画像がＰＣのデスクトップのサイズよりも大きい場合には、ＰＣのデスクトップサイズを前記撮影画像の上からＯＳＤ（デスクトップＯＳＤ）を表示することで、撮影者が前記撮影画像のサイズを認識することを特徴とする。
【００１１】
請求項３記載の発明は、請求項２記載の装置において、前記表示手段は、撮影者が使用するＰＣモニターの解像度を選択すると、それに対応して前記デスクトップＯＳＤの大きさも変化することを特徴とする。
【００１２】
請求項４記載の発明は、請求項２に記載の装置において、前記表示手段は、前記画像記録装置の撮影解像度を変更すると、それに対応して前記デスクトップＯＳＤの大きさも変化することを特徴とする。
【００１３】
請求項５記載の発明は、請求項１に記載の装置において、前記表示手段は、前記撮影画像がＰＣのデスクトップのサイズよりも小さい場合には、ＰＣのデスクトップサイズと撮影画像サイズの比を示すＯＳＤを表示することを特徴とする。
【００１４】
請求項６記載の発明は、請求項５に記載の装置において、前記表示手段は、撮影者が使用するＰＣモニターの解像度を選択すると、それに対応して前記比を示すＯＳＤの大きさも変化することを特徴とする。
【００１５】
請求項７記載の発明は、請求項５に記載の装置において、前記表示手段は、画像記録装置の撮影解像度を変更すると、それに対応して前記比を示すＯＳＤの大きさも変化することを特徴とする。
【００１６】
請求項８記載の発明は、被写体からの光を取り込む撮像工程と、前記取り込んだ光を電気信号に変換する光電変換工程と、前記電気信号に変換された画像情報を圧縮する画像圧縮工程と、前記圧縮された画像情報を展開し、表示する表示工程と、を有し、前記表示工程は、ＰＣ（Personal Computer）に撮影画像を表示した時のＰＣのデスクトップのサイズを示すＯＳＤ（On Screen Display）を表示することを特徴とする画像表示方法である。
【００１７】
請求項９記載の発明は、請求項８に記載の表示方法において、前記表示工程は、前記撮影画像がＰＣのデスクトップのサイズよりも大きい場合には、ＰＣのデスクトップサイズを前記撮影画像の上からＯＳＤ（デスクトップＯＳＤ）を表示することで、撮影者が前記撮影画像のサイズを認識することを特徴とする。
【００１８】
請求項１０記載の発明は、請求項９に記載の表示方法において、前記表示工程は、撮影者が使用するＰＣモニターの解像度を選択すると、それに対応して前記デスクトップＯＳＤの大きさも変化することを特徴とする。
【００１９】
請求項１１記載の発明は、請求項９に記載の表示方法において、前記表示工程は、前記画像記録工程の撮影解像度を変更すると、それに対応して前記デスクトップＯＳＤの大きさも変化することを特徴とする。
【００２０】
請求項１２記載の発明は、請求項８に記載の表示方法において、前記表示工程は、前記撮影画像がＰＣのデスクトップのサイズよりも小さい場合には、ＰＣのデスクトップサイズと撮影画像サイズの比を示すＯＳＤを表示することを特徴とする。
【００２１】
請求項１３記載の発明は、請求項１２記載の表示方法において、前記表示工程は、撮影者が使用するＰＣモニターの解像度を選択すると、それに対応して前記比を示すＯＳＤの大きさも変化することを特徴とする。
【００２２】
請求項１４記載の発明は、請求項１２に記載の表示方法において、前記表示工程は、画像記録装置の撮影解像度を変更すると、それに対応して前記比を示すＯＳＤの大きさも変化することを特徴とする。
【発明の効果】
【００２３】
本発明によれば、ＰＣ（Personal  Computer）で表示される撮影画像サイズを、ＰＣのデスクトップ画面のサイズを現すデスクトップＯＳＤ（On  Screen  Device）を表示手段上に表示することで、ユーザが容易に撮影画像の大きさがわかるよう通知することを可能とする。
【発明を実施するための最良の形態】
【００２４】
以下に、本発明の実施形態に係る画像記録装置および画像表示方法を、図面を用いて詳細に説明する。
【００２５】
図１は本発明の実施形態に係る電子カメラのブロック図である。
【００２６】
図１において、光学レンズ１０１はモータードライバ１１０によって制御されるレンズモータ１０８によって動かすことが可能であり、図示しない複数の光学レンズをレンズモータ１０８によってそれぞれ駆動させることで光学ズームを行ったり、フォーカスを合わせたりすることができる。光学レンズ１０１より入光した被写体像は、シャッターモータ１０９によって動作するシャッタ１０２により入光量を調節され、光学ＬＰＦ１０３を通してＣＣＤ（Charge  Coupled  Device）駆動ドライバ１０５によって制御されるＣＣＤ１０４に結像される。
【００２７】
ここで、撮影被写体の光量が不足している場合、ストロボ回路１２７の制御下にあるストロボ１２８を発光させ、適正光量が得られる画像を撮影することができる。
【００２８】
ＣＣＤ１０４にはレリーズ２０２が押されてからシャッタ１０２が開いている時間分だけ電荷が蓄積（光電変換）される。ＣＣＤ１０４は無数のセル（画素）からなり、その一つ一つの画素に集光用レンズ、カラーフィルタが付けられており、カラーフィルタの種類により赤、緑、青などそれぞれの色の光の強さが各画素に蓄積される。例えば赤、緑、青の３原色の入光量を電荷に変換し、電荷量を読み出すことで、フルカラー画像を作り出すことができる。
【００２９】
蓄積された電荷はタイミングジェネレータ１０６のクロックを使用してＣＣＤ１０４の各画素から順次ＣＤＳ：Ａ／Ｄ１０７（ＣＤＳとＡ／Ｄが一体になったチップ）に引き渡され、ＣＤＳ部（Correlated  Double  Sampling）にてノイズ成分を低減し、Ａ／Ｄ部にてアナログの電荷量をデジタル信号に変換する。
【００３０】
変換された各画素入光量のデジタル情報は、一時的に書き込み速度の速いＳＤＲＡＭ（Synchronous  Dynamic  Random  Access  Memory）１１６に記憶され、そこから順次、電子カメラＡＳＳＰ（Application  Specific  Standard  Products）１２９に引き渡され、電子カメラＡＳＳＰ１２９内部のイメージプロセッサ１３０にてホワイトバランス処理、エッジ強調、ＪＰＥＧ（Joint  Photographic  Experts  Group）方式による画像圧縮などの処理を施される。
【００３１】
この電子カメラＡＳＳＰ１２９は特定用途（電子カメラ）向けの標準ＩＣ（Integrated  Circuit）であり、カメラ全体の制御を担っており、フラッシュメモリ１１７に書き込まれたソフトウェアを読み込み、ソフトウェアの指示に従って動作し、周辺機器を制御する各種ドライバの制御をする役割を担うと共に、自身に内蔵したイメージプロセッサ１３０やマイコン１３３、各種インターフェイス１３４を使用して、画像処理や操作ボタン制御、メモリ類のインターフェイス制御などの処理を行っている。
【００３２】
イメージプロセッサ１３０にて各種の処理を施された画像データは各種インターフェイス１３４によって制御される不揮発性メモリ１１５に記憶される。今日の画像記録装置にはスマートメディア、ＳＤ（Secure  Digital）カードなどの不揮発性メモリ、メモリーカード１３６を挿入できるカードコネクタ１３５が搭載されている。
【００３３】
また、前記各種の処理を施された画像データは、ビデオエンコーダ１３２にてＮＴＳＣ、ＰＡＬ方式などに変換され、ビデオアンプ１２０を通し、ＡＶ（Audio  Visual）Ｊａｃｋ１２１からＴＶなどに出力されたり、ＬＣＤ（Liquid  Crystal  Display）ドライバ１２２にてＬＣＤ表示仕様に対応した信号変換を行い、ＬＣＤ１２３に映像を表示したり、ＵＳＢ（Universal  Serial  Bus）ドライバ１１８によって差動信号に変換され、ＵＳＢコネクタ１１９よりケーブルを介してＰＣなどに画像データを転送することもできる。
【００３４】
画像記録装置の電源は、ＤＣ  Ｊａｃｋ１１１に挿入されたＡＣアダプタ、又は電池１１２から供給され、ＤＣ／ＤＣコンバータ１１３によって各デバイスに必要な直流電圧（例えば、３．３Ｖ、５Ｖ、−７．５Ｖなど）を作り出し、各デバイスに供給する。
【００３５】
音声ＣＯＤＥＣ（Coder  DECorder）１２６は、電子カメラＡＳＳＰ１２９によって制御され、マイクアンプ、スピーカアンプ、Ａ／Ｄ、Ｄ／Ａ変換器１３１、符号、復号化処理部を有し、マイクロホン１２５によって録音された音声を増幅、Ａ／Ｄ変換、符号化処理を行い、ＳＤＲＡＭ１１６に蓄積され、順次不揮発性メモリ１１５に記録される。音声を再生する場合には、不揮発性メモリ１１５から音声デジタルデータをＳＤＲＡＭ１１６に読み出し、順次音声ＣＯＤＥＣ１２６にて復号化、Ｄ／Ａ変換、増幅処理を行い、スピーカ１２４にて音声を出力する。
【００３６】
また、デジタルカメラＡＳＳＰ１２９には操作ボタン１１４も搭載されている。
【００３７】
図２は本発明の実施形態に係る電子カメラの外観図（前面部）である。
【００３８】
カメラの前面には、前記マイクロホン１２５、前記ストロボ１２８の他、ストロボ調光センサ、ファインダ２０３、鏡胴２０５が配置され、また、正面からはカメラ上部のレリーズ２０２及びモードダイアル２０４が見える。
【００３９】
図３は本発明の実施形態に係る電子カメラの外観図（背面部）である。
【００４０】
カメラの背面には、前記ＬＳＤ１２３、スピーカ１２４、操作ボタン１１４、ファインダ２０３が配置されている。背面左側には、バッテリとメモリーカードの挿入口があり、また、前面と同様に上部のレリーズ２０２及びモードダイアル２０４が見える。
【００４１】
次に、図４を参照して本発明に係る実施形態の表示例を示す。
【００４２】
図４はＬＣＤパネル上に表示されるデスクトップＯＳＤ（撮影画像サイズ＞ＰＣデスクトップサイズ）である。
【００４３】
電子カメラの解像度がＰＣ解像度よりも大きい場合は、電子カメラのＬＣＤ１２３に表示される撮影画像よりもＰＣデスクトップサイズが小さくなるため、デスクトップＯＳＤ４０２をＬＣＤ１２３上に表示することでユーザが撮影画像の大きさを把握することを可能とする。
【００４４】
次に、図５を参照して本発明に係る実施形態の表示例を示す。
【００４５】
図５はＬＣＤ上に表示されるデスクトップＯＳＤと撮影画像ＯＳＤ（ＰＣデスクトップサイズ＞撮影画像サイズ）である。
【００４６】
電子カメラの解像度がＰＣ解像度よりも小さい場合は、電子カメラのＬＣＤ１２３に表示される撮影画像よりもＰＣデスクトップサイズが大きくなるため、デスクトップＯＳＤ４０２と撮影画像ＯＳＤ４０３の双方を表示する必要がある。このようにして、ユーザが撮影画像の大きさを把握することを可能とする。
【００４７】
電子カメラの撮影画素数は、たとえばＣＣＤ１０４が３３４万画素程度のものである場合、横２０４８×縦１５３６（３１４万画素）、横１２８０×縦９６０（１２２万画素）、横６４０×縦４８０（３０万画素）などの解像度で撮影できるようにしているカメラが多い。そこで例えばＰＣのデスクトップのサイズが横１０２４ドット×縦７６８ドットであると電子カメラに設定してあった場合に横６４０×縦４８０で撮影した場合には、ＬＣＤ１２３上には図５のように表示される。
【００４８】
ここで、撮影画像ＯＳＤ４０３の大きさはデスクトップＯＳＤ４０２の大きさと比較して、
縦の長さ：撮影画像の縦ドット数／ＰＣデスクトップの縦ドット数
横の長さ：撮影画像の横ドット数／ＰＣデスクトップの横ドット数
の大きさになるように表示する。
【００４９】
電子カメラに搭載されるＬＣＤ１２３は、ＰＣのモニターと比較すると画素数が限られており、ドットの配列も、解像感をあげる為にデルタ配列になっているようなパネルも多く、正確に大きさを再現できないと考えられるが、できるだけデスクトップＯＳＤ４０２と撮影画像ＯＳＤ４０４の大きさの比を、実際にＰＣデスクトップ上で撮影画像を閲覧した場合の大きさの比に近づける。
【００５０】
次に、図６を参照してデスクトップＯＳＤをＬＣＤ上に表示する制御手順を説明する。
【００５１】
図６は、デスクトップＯＳＤをＬＣＤ上に表示する制御手順を示すフローチャートである。
【００５２】
図６において、図示しない電源ボタンを押して電子カメラの電源を投入し、ユーザが使用するＰＣの解像度を電子カメラに入力済みかどうかを確認する（ステップＳ６０１）。
【００５３】
なお、ＰＣの解像度情報はフラッシュメモリ１１７に保存することができ、一旦情報を入力すれば電子カメラの電源を切っても保存可能である。
【００５４】
電子カメラにＰＣ解像度情報が入力されていない場合ステップ（Ｓ６０１／Ｎｏ）、ユーザが任意のＰＣ解像度情報を入力し（ステップＳ６０２）、その情報をフラッシュメモリ１１７に書き込んで保存する。
【００５５】
ここで、選択するＰＣ解像度として例えばＰＣで広く使用されている下記（表１）のような設定値を用意しておき、ユーザの入力手順を簡略化することも可能である。
【００５６】
【表１】
2006254127.tif 000003
【００５７】
ＰＣ解像度情報がすでに入力済みの場合には（ステップＳ６０１／Ｙｅｓ）、フラッシュメモリ１１７に記憶されているＰＣ解像度データを読み出し（ステップＳ６０３）、次に現在設定されている電子カメラの撮影画像解像度情報を読み出す（ステップＳ６０４）。この電子カメラの撮影画像解像度は通常、電子カメラのＳＥＴＵＰモードなど（モードダイアル２０４）で設定可能であり、この情報もＰＣ解像度データと同様にフラッシュメモリ１１７に保存することができる。
【００５８】
次に、ステップＳ６０３、ステップＳ６０４で読み出したＰＣ解像度データと電子カメラの撮影画像解像度データの大きさの比較を行う（ステップＳ６０５）。
【００５９】
ここで、電子カメラ解像度がＰＣ解像度よりも大きい場合には（ステップＳ６０５／Ｙｅｓ）、デスクトップＯＳＤのみ表示される（ステップＳ６０６）。電子カメラの解像度がＰＣ解像度よりも大きいため、電子カメラのＬＣＤ１２３に表示される撮影画像よりもＰＣデスクトップサイズが小さくなり、デスクトップＯＳＤ４０２をＬＣＤ１２３上に表示することで、ユーザが撮影画像の大きさを把握することが可能となるからである。なお、図４にその表示例を示す。
【００６０】
ＰＣ解像度が電子カメラ解像度よりも大きい場合には（ステップＳ６０５／Ｎｏ）、デスクトップＯＳＤと撮影画像ＯＳＤを表示する（ステップＳ６０７）。電子カメラの解像度がＰＣ解像度よりも小さいため、電子カメラのＬＣＤ１２３に表示される撮影画像よりもＰＣデスクトップサイズが大きくなり、デスクトップＯＳＤ４０２と撮影画像ＯＳＤ４０３の双方を表示する必要があるからである。図５にその表示例を示す。
【図面の簡単な説明】
【００６１】
【図１】本発明の実施形態に係る画像記録装置のブロック図である。
【図２】本発明の実施形態に係る画像記録装置の外観図（前面部）である。
【図３】本発明の実施形態に係る画像記録装置の外観図（背面部）である。
【図４】本発明の実施形態に係る表示例である。
【図５】本発明の実施形態に係る表示例である。
【図６】本発明の実施形態に係る動作を示すフローチャート図である。
【符号の説明】
【００６２】
１０１          光学レンズ
１０２          シャッタ
１０３    光学ローパスフィルタ（光学ＬＰＦ）
１０４    ＣＣＤ
１０５    ＣＣＤ駆動ドライバ
１０６    タイミングジェネレータ
１０７    ＣＤＳ：Ａ／Ｄ
１０８    レンズモータ
１０９    シャッターモータ
１１０    モータードライバ
１１１    ＤＣジャック
１１２    電池
１１３    ＤＣ／ＤＣコンバータ
１１４    操作ボタン
１１５    不揮発性メモリ
１１６    ＳＤＲＡＭ
１１７    フラッシュメモリ
１１８    ＵＳＢドライバ
１１９    ＵＳＢコネクタ
１２０    ビデオアンプ
１２１    ＡＶ  Ｊａｃｋ
１２２    ＬＣＤドライバ
１２３    ＬＣＤ
１２４    スピーカ
１２５    マイクロホン
１２６    音声ＣＯＤＥＣ
１２７    ストロボ回路
１２８    ストロボ
１２９    電子カメラＡＳＳＰ
１３０    イメージプロセッサ
１３１    Ａ／Ｄ、Ｄ／Ａ変換器
１３２    ビデオエンコーダ
１３３    マイコン
１３４    各種インターフェイス
１３５          カードコネクタ
１３６          メモリーカード
２０１    ストロボ調光センサ
２０２    レリーズ
２０３    ファインダ
２０４    モードダイアル
２０５    鏡胴
３０１    バッテリ＆メモリーカード挿入口
４０２          デスクトップＯＳＤ
４０３          撮影画像ＯＳＤ
【図１】
2006254127.tif 000004
【図２】
2006254127.tif 000005
【図３】
2006254127.tif 000006
【図４】
2006254127.tif 000007
【図５】
2006254127.tif 000008
【図６】
2006254127.tif 000009